(57)【要約】【課題】基板の取り付けや電線の結束支持作業を容易に行うことができる電線支持具を具備した電気電子機器収納用キャビネットを提供する。【解決手段】電線支持具１は、電線支持面１ａと該電線支持面１ａを一体に折り曲げ奥行面２、２を形成した断面略コ字状であって、該電線指示面１aに施した複数の切り欠き１０ａと奥行面２に施した切り欠き１０ｂとが連続する開放部５により形成された複数の電線結束片４と、更に電線支持面１ａの四隅に設けた基板取り付け用ねじ穴６が、一対の支持具取り付け穴７を中心に上下対称形状に構成されていて、電気電子機器収納用キャビネット内面の側面の任意の位置に取り付けて使用する。【選択図】図１
2010193550.tif 000002
【特許請求の範囲】
【請求項１】
基板取り付け用ねじ穴を有する電線支持面と奥行きを形成する上下の奥行面を一体に折り曲げ形成した断面略コ字状の電線支持具において、該電線支持面から上下対称に該奥行面に至る切り欠き加工により形成された複数の電線結束片を有する電線支持具をキャビネット内面に具備したことを特徴とする電気電子機器収納用キャビネット。
【請求項２】
前記電線支持具の電線結束片は該電線支持具の奥行きを形成する上下の奥行面より突出形成された形状である請求項１記載の電気電子機器収納用キャビネット。
【請求項３】
前記電線結束片の結束バンド係止辺に凸部を設け、結束バンドの外れ防止としたことを特徴とする請求項１又は請求項２記載の電気電子機器収納用キャビネット。
【請求項４】
前記電線結束片の先端部を奥行方向に折り曲げ、電線の被覆損傷防止としたことを特徴とする請求項１から請求項３記載の電気電子機器収納用キャビネット。
【請求項５】
前記電線支持具の電線支持面に複数の離間した湾曲の窪み部を形成し、一対の対称形状の湾曲の窪み部の相対向する湾曲面を開口し、開口部により形成された間の電線支持面の一部を電線結束部として、一方の湾曲の窪み部から挿通された結束バンドは湾曲の窪み部の湾曲面が挿通ガイド面となって開口部を経て他方の湾曲面に沿って挿通される結束バンド挿通孔を有する請求項１から請求項４記載の電気電子機器収納用キャビネット。
【発明の詳細な説明】
【技術分野】
【０００１】
本発明は、キャビネット内の電線の整理や内部機器に直接荷重が掛からないように電線を容易に結束支持でき、又、基板の取り付け機能を有する電線支持具を具備した電気電子機器収納用キャビネットに関するものである。
【背景技術】
【０００２】
従来この種の電線支持具としては、箱体本体内側の底面や側面に固着する構造がある。例えば特許文献１の図１で示される機器取り付け金具２は、略Ｌ字状に折り曲げられ形成されていて、一辺には底面取り付け部５を、他辺には電線が結束可能な側面取り付け部６を有している。
【０００３】
又、各々の裏面側には、電気機器を載置するベースを固定するためのスタッドボルトを立設するスタッドボルト係合穴１１と、電線結束具が挿通可能な挿通孔が設けられていて、底面取り付け部５と側面取り付け部６が各々の箱体本体内側の底面４と側面３に固着されている（例えば特許文献１参照）。
【先行技術文献】
【特許文献】
【０００４】
【特許文献１】特開平１０−９４１１６号公報
【発明の概要】
【発明が解決しようとする課題】
【０００５】
しかし前記特許文献１の機器取り付け金具では、略Ｌ字状で箱体本体の側面と底面に渡り固着する構造なので、側面に配線孔を必要とする場合に、機器取り付け金具が邪魔になり配線孔の位置が制限されると同時に、略Ｌ字状の底面取り付け部は電気機器を載置するベースの固定手段を兼ねているので機器取り付け金具の取り付け位置も限定されることになる。  
【０００６】
又、従来技術の機器取り付け金具に設けられた結束バンドの挿通孔は、一方の挿通孔の表面から挿通した結束バンドを他方の挿通孔の裏面から挿通し機器取り付け金具の表面に引き出す作業が必要で、キャビネット内の限られたスペースでの前記作業には非常に困難を要していた。特に近年は、機器の高性能化により結束される電線も多く結束作業にも時間を要するなどの問題点も挙げられる。
【０００７】
本発明は上記の点に鑑みてなされたもので、電線結束作業が容易で汎用性にすぐれた電線支持具を有する電気電子機器収納用キャビネットを提供することを目的としたものである。
【課題を解決するための手段】
【０００８】
第１の発明では、基板取付用ねじ穴を有する電線支持面と奥行きを形成する上下の奥行面を一体に折り曲げ形成した断面略コ字状の電線支持具において、該電線支持面から上下対称に該奥行面に至る切り欠き加工により形成された複数の電線結束片を有する電線支持具をキャビネット内面に具備したことを特徴とする。
【０００９】
第２の発明では、前記電線支持具の電線結束片は該電線支持具の奥行きを形成する上下の奥行面より突出形成された形状であることを特徴とする。
【００１０】
第３の発明では、前記電線結束片の結束バンド係止辺に凸部を設け、結束バンドの外れ防止としたことを特徴とする。
【００１１】
第４の発明では、前記電線結束片の先端部を奥行方向に折り曲げ、電線の被覆損傷防止としたことを特徴とする。
【００１２】
第５の発明では、前記電線支持具の電線支持面に複数の離間した湾曲の窪み部を形成し、一対の湾曲の窪み部の相対向する湾曲面を開口し、開口部により形成された間の電線支持面の一部を電線結束部として、一方の湾曲の窪み部から挿通された結束バンドは湾曲の窪み部の湾曲面が挿通ガイド面となって開口部を経て他方の湾曲面に沿って挿通される結束バンド挿通孔を有することを特徴とする。
【発明の効果】
【００１３】
第１の発明によれば、従来の結束バンドの挿通孔ではなく、電線支持面に対して上下対称となる奥行面に至る切り欠き加工により形成された複数の電線結束片とすることで、従来のような困難な結束バンドの挿通作業が不要となり、キャビネットの狭いスペース内でも電線結束作業が容易に行える。
【００１４】
又、電線支持面の四隅に基板取り付け用ねじ穴を設けることで、キャビネットの内面を利用した基板の取り付けも容易に行えて、更に基板の取り付けと電線支持機能を併用することにより、基板に取り付けた電気機器の端子に直接負荷が掛かることを防ぐ効果もある。
【００１５】
更に、上下対称形状となる本発明の電線支持具をキャビネット内の側面の任意の個所に複数個設けることで、複数の基板の取り付けが可能になるなど前記の応用範囲が大きくなる効果がある。
【００１６】
第２の発明によれば、電線結束片を電線支持面から突出させたので、キャビネットの狭いスペース内に配線された多くの電線でも結束作業が容易に行える。
【００１７】
第３の発明によれば、多くの電線を結束した場合に経年変化で結束バンドの緩みなどが考えられるが、結束バンド係止辺に設けた凸部が結束バンドの緩みによる外れを防止して、同時に結束時のバンドガイドにもなるので結束作業が容易に行える。
【００１８】
第４の発明によれば、電線結束片の先端部を奥行き方向に折り曲げることで、切り欠き加工により形成された電線結束片の先端エッジのかえりやバリによる電線被覆面の損傷防止となる。更に、電線結束作業時は結束バンドのガイドの役割を果たすので、電線結束作業が容易に行えて、経年変化による結束バンドの緩みによる外れを防止する効果もある。
【００１９】
第５の発明によれば、結束バンド挿通孔に一対の対称形状の湾曲の窪み部を設けることにより、結束バンドの挿通方向を限定することなく該湾曲面が結束バンドの挿入案内面となって結束バンドを目的の方向へと導いて挿通させることができるので結束作業が容易に行える。
【図面の簡単な説明】
【００２０】
【図１】本発明の実施例１の電線支持具の斜視図である。
【図２】電気電子機器収納用キャビネット内の本体側面に電線支持具を取り付けた斜視図である。
【図３】（ａ）は取り付け用ナットと取り付けねじ、（ｂ）はボルトとナットによる電線支持具の取り付け例による断面図である。
【図４】電線支持具に電線を結束した時の結束例を示す斜視図である。
【図５】電線支持具に基板の取り付けと電線の結束を併用した場合の使用例を示した斜視図である。
【図６】電線支持具への基板取り付けねじによる基板の取り付け形体で（ａ）は小形基板（ｂ）は複数の基板（ｃ）は大型基板である。
【図７】本発明の実施例２の電線支持具の斜視図である。
【図８】本発明の実施例３の電線支持具の斜視図である。
【図９】本発明の実施例４の電線支持具の斜視図である。
【図１０】本発明の実施例５の電線支持具の斜視図である。
【図１１】図１０のＡ−Ａ断面図である。
【図１２】図１０の別実施例におけるＡ−Ａの断面図である。
【発明を実施するための形態】
【００２１】
以下、本発明の実施の形態について、図面を参照しながら説明する。なお、この実施の形態によって本発明が限定されるものではない。
【実施例１】
【００２２】
本発明の実施例１について図１から図６に基づいて説明する。
【００２３】
図１で示される電線支持面１ａと該電線支持面１ａを一体に折り曲げ奥行面２、２を形成した断面略コ字状の電線支持具１は、電線支持面１ａに施した複数の切り欠き１０ａと奥行面２に施した切り欠き１０ｂとが連続する開放部５により形成された複数の電線結束片４と、電線支持面１ａの四隅に設けた基板取り付け用ねじ穴６は、一対の支持具取り付け穴７を中心に上下対称形状に構成されている。
【００２４】
尚、電線支持面１ａに施した段押し加工１１と奥行面２、２の曲げ加工による当接面３、３は電線支持具１の補強と変形防止を目的に施してある。更に四隅に設けた基板取り付け用ねじ穴６は、ねじ下穴あるいはタッピングねじ用の穴でもよい。
【００２５】
電線支持具１は図２のように電気電子機器収納用キャビネット２１の内面の、例えば本体２２の側面２４の任意の位置に固着した図３（ａ）の取り付け用ナット３１と取り付けねじ３２あるいは（ｂ）のボルト３３とナット３４などの取り付け手段により着脱自在となるよう取り付けられている。
【００２６】
次に図４で電線結束手順を説明する。従来の機器取り付け金具に設けられた挿通孔では、あらかじめ一方の挿通孔の表面から挿通した結束バンドを他方の挿通孔の裏面から挿通し機器取り付け金具の表面に引き出す作業が必要であったが、キャビネット内の狭いスペースに多くの電線が煩雑に存在する中でのこのような作業は非常に困難を要していた。
【００２７】
しかし本発明の電線支持具１には、切り欠き１０ａと切り欠き１０ｂとが連続する開放部５により形成された複数の電線結束片４が設けられており、整理された電線束４１を添えて電線結束片４と共に結束バンド４２で締め付け固定することができる。
【００２８】
即ち、電線結束片４と電線束４１を結束バンド４２で締付けることにより電線束４１の結束支持が完了するので、従来のような挿通が困難な結束バンドの挿通孔に結束バンド４２を挿通する必要がなくなり、狭いキャビネット内でも結束作業が容易に行えるようになった。
【００２９】
又、あらかじめ整理された電線束４１を結束バンド４２で仮止し、電線結束片４の先端部４ａから仮止めした結束バンド４２を電線結束片４と共に締付けることも可能で電線の整理と結束支持が効率よく行える。
【００３０】
電気電子機器収納用キャビネット２１ではその内面の、例えば本体２２の側面２４に機器等を取り付ける基板２６を設ける場合があるが、従来では側面２４に電線支持具があると邪魔で基板を設けることができない為、取り外して、更に基板取り付け装置を設ける必要があった。
【００３１】
しかし図５の本発明の電線支持具１の電線支持面１ａの四隅には基板取り付け用ねじ穴６が、一対の支持具取り付け穴７を中心に上下対称位置に設けられているので、一対の電線支持具１の基板取り付け用ねじ穴６、６に基板取り付けねじ２７、２７での基板２６の取り付けが可能となった。
【００３２】
又、電線支持具１は一対の支持具取り付け穴７を中心に上下対称形状に構成されているので、対称形状の一方を基板２６の取り付けに利用した場合、他方の電線結束片４に電線束４１を結束支持すれば基板２６に取り付けた機器（図示せず）に直接負荷が掛かることを防ぐことができる。
【００３３】
又、上記で述べた基板の取り付けと電線支持の併用、更には着脱可能な事に加えて、図６の（ａ）〜（ｃ）で示すような複数の電線支持具１を利用しての様々な形態での基板２６の取り付けが行える電気電子機器収納用キャビネットを提供することができるので、幅広い顧客要望にも答えることが可能となった。
【００３４】
上記で述べた以外に電線支持具１は、電線支持面１ａにアース端子（図示せず）をつなぐアース端子ねじ穴８と複数個の多目的用取り付け穴９が設けられている。該多目的用取り付け穴９の具体的な使用例として、通常形状の結束バンド４２とは異なる先端が三角に尖った押し込みタイプの結束バンド（図示せず）を、該多目的用取り付け穴９に挿し込んで電線束４１を結束する他、小形部品の取り付け穴としての利用も可能で、電線支持具１の使用用途が更に広がる。
【実施例２】
【００３５】
本発明の実施例２について図７に基づいて説明する。
【００３６】
複数の電線結束片４を断面略コ字状の奥行面２、２より突出形成したので結束作業がより行い易くなった。更に電線結束片４の先端部４ａを山形形状にすることによって、電線束４１（図示せず）を仮結束して輪になった状態の結束バンド４２（図示せず）を電線結束片４に挿し込み結束する際の挿し込みガイドとなり結束作業が容易に行える。
【実施例３】
【００３７】
本発明の実施例３について図８に基づいて説明する。
【００３８】
電線支持具１の電線結束片４に多くの種類やサイズの違う電線束４１（図示せず）を結束支持した場合に振動や経年変化で結束バンド４２に（図示せず）ゆるみが生じて、最悪の場合は電線結束片４から外れる恐れがある。電線結束片４の３辺のうち、相対する２辺にあたる結束バンド係止辺４ｂ、４ｂの先端に凸部４ｃ、４ｃを設けて、前記で問題点として述べた結束バンド４２（図示せず）の外れ防止対策とした。
【００３９】
又、通常の結束作業時において凸部４ｃ、４ｃはガイドとなり、結束バンド４２（図示せず）の結束位置が安定してバンド締付時のズレ防止となるなど作業が容易に行える。
【実施例４】
【００４０】
本発明の実施例４について図９に基づいて説明する。
【００４１】
突出した電線結束片４の先端部４ａを奥行き方向に折り曲げることで、切り欠き加工により形成された電線結束片の先端エッジのかえりやバリが直接電線被覆面に接することが無くなり、結束バンド４２による電線束４１の結束時の電線被覆面の損傷を防止することができる。
【００４２】
更に、折り曲げられた部分は、実施例３と同様に電線結束作業時の結束バンド４２のガイドになるので電線結束作業も容易に行えることに加えて、経年変化による結束バンド４２の緩みによる外れを防止することもできる。
【実施例５】
【００４３】
本発明の実施例５について図１０から図１２に基づいて説明する。
【００４４】
電線を挿通して結束させる為の結束バンド挿通孔４３は、電線支持面１ａに離間した一対の対称形状となる複数個の湾曲の窪み部４４、４４を形成し、該窪み部４４、４４の相対向する湾曲面４５、４５を結束バンド４２が挿通可能なように開口を施して、その開口部４６、４６によって形成された間の電線支持面１ａの一部を電線結束部１ｂとした。
【００４５】
一方の湾曲の窪み部４４から挿通された結束バンド４２は湾曲面４５が挿通ガイド面となって開口部４６、４６を経て、他方の湾曲の窪み部４４の湾曲面４５に沿って案内され結束バンド４２の挿通が行えるので、電線束４１は電線結束部１ｂとともに容易に結束でき電線束４１の支持作業が行える。
【００４６】
従来、この種の電線結束構造は、電線支持面に設けた一対の挿通孔の一方から結束バンドを挿し込み電線支持面の裏側から他方の挿通孔に挿し込んで電線支持面と電線とを結束支持するが、電線支持面の裏面での挿通孔に結束バンドを案内する操作が困難であった。
【００４７】
しかし、本発明における前記構造の結束バンド挿通孔４３では、湾曲の窪み部４４の湾曲面４５が結束バンド４２の挿通ガイド面となり、離間した他方の湾曲の窪み部４４に案内されるので、従来のような電線支持面の裏面での案内作業が不要となり電線支持作業が容易に行える効果がある。更に、一対の湾曲の窪み部４４、４４は対称形状なので、結束バンド４２の挿通方向が限定されることなく作業性の向上が図れる効果もある。
【００４８】
又、図１１に示すように一対の対称形状の湾曲の窪み部４４、４４の開口部４６、４６の湾曲面４５、４５を電線支持面方向に上向きに形成することにより、湾曲の窪み部４４に挿通した結束バンド４２の先端は湾曲面４５の上向き方向に沿って強制的に案内され、挿通作業が容易に行える。
【符号の説明】
【００４９】
１      電線支持具
１ａ    電線支持面
１ｂ    電線結束部    
２      奥行面
４      電線結束片
４ａ    先端部
４ｂ    結束バンド係止辺
４ｃ    凸部
６      基板取り付け用ねじ穴
１０ａ  切り欠き
１０ｂ  切り欠き
４３    結束バンド挿通孔
４４    窪み部
４５    湾曲面
４６    開口部
【図１】
2010193550.tif 000003
【図２】
2010193550.tif 000004
【図３】
2010193550.tif 000005
【図４】
2010193550.tif 000006
【図５】
2010193550.tif 000007
【図６】
2010193550.tif 000008
【図７】
2010193550.tif 000009
【図８】
2010193550.tif 000010
【図９】
2010193550.tif 000011
【図１０】
2010193550.tif 000012
【図１１】
2010193550.tif 000013
【図１２】
2010193550.tif 000014